(57)【要約】【課題】選択設定されたシーン撮影モードに対応して、適応性のあるフォーカスモードの選択設定が、オペレータに操作負担を与えずに行なわれる撮像装置を提供することにある。【解決手段】オペレータが操作部２３から、シーン撮影モード及びフォーカス撮影モードの選択設定をそれぞれ独立して行い、選択設定されたシーン撮影モードとフォーカス撮影モードとの相互間に、現在の撮影雰囲気条件下での適合性があると、ＣＰＵ２２によって判定されると、ＣＰＵ２２の指令によって作動するフォーカス制御ユニット２６及び画質制御ユニット３０によって、選択設定されたシーン撮影モードに対応して、適確なフォーカス撮影モード及び画質撮影モードが選択設定され、選択設定された各撮像モードによる撮影条件下で、オペレータの操作上の負担を軽減した状態で、被写体の高品質の撮影画像を効率的に撮像取得することが可能になる。【選択図】        図１
2004184432.tif 000002
【特許請求の範囲】
【請求項１】
被写体の撮影に際して、複数のシーン撮影モードから実行するシーン撮影モードを選択し、選択されるシーン撮影モードでの撮影を設定するシーン撮影モード設定手段と、
被写体の撮影に際して、自動合焦、手動合焦及び固定距離合焦を含む複数のフォーカス撮影モードから実行するフォーカス撮影モードを選択し、選択されるフォーカス撮影モードでの撮影を設定するフォーカスモード設定手段と、
前記シーン撮影モード設定手段で選択設定されたシーン撮影モードに対して、適応性を有するフォーカス撮影モードの選択設定が行なわれるように、前記フォーカスモード設定手段の選択設定動作を制御するフォーカスモード設定制御手段と
を有することを特徴とする撮像装置。
【請求項２】
請求項１記載の撮像装置において、
シーン撮影モード設定手段により設定されるシーン撮影モードに対して、フォーカスモード制御手段の制御によって、フォーカスモード設定手段により選択設定されるフォーカス撮影モードの初期値が、前記シーン撮影モードのそれぞれについて、予め設定されていることを特徴とする撮像装置。
【請求項３】
請求項１記載の撮像装置において、
フォーカスモード設定手段によって、設定されるフォーカス撮影モードを保持し、或いは初期化するフォーカスモード保持・初期化制御手段と、
該フォーカスモード保持・初期化制御手段の動作を選択する保持・初期化選択手段と
がさらに設けられていることを特徴とする撮像装置。
【請求項４】
請求項１記載の撮像装置において、
シーン撮影モード設定手段により遠方風景撮影モードが設定されると、フォーカスモード制御手段の制御によって、フォーカスモード設定手段は、フォーカス撮影モードに無限遠合焦モードを選択設定することを特徴とする撮像装置。
【請求項５】
請求項１記載の撮像装置において、
シーン撮影モード設定手段によりスナップ撮影モードが設定されると、フォーカスモード制御手段によって、フォーカスモード設定手段は、無限遠距離に合焦する無限遠距離合焦モード、または複数の固定有限距離から選択された距離に合焦する選択距離合焦モードを選択設定することを特徴とする撮像装置。
【発明の詳細な説明】
【０００１】
【発明の属する技術分野】
本発明は、被写体撮影条件に対応するフォーカス撮影モードの選択機能を備えた撮像装置に関する。
【０００２】
【従来の技術】
近年、ディジタルカメラなどの撮像装置には、オペレータの使用上の便宜を考慮して、ポートレートモード、夜景モード、風景モード、スナップモード、文字モードなどのシーン撮影モードの選択設定機能が具備されており、カメラの操作上の知識や経験の少ないオペレータでも、シーン撮影モードの選択設定を行なうことにより、選択したシーン撮影モードに対応して、被写体の高品質の撮像画像を撮影取得することが可能になっている（例えば、特許文献１参照。）。
例えば、シーン撮影モードとして、夜景モードを選択すると、夜間の被写体の撮影時にコントラストを高め、黒設定閾値を高めて露出を全体が暗めの画像となるように制御して、被写体の撮影が夜間での視覚効果を高めて行なわれる。
【０００３】
【特許文献１】
特開２００１−２１１４５７号公報（段落［００２６］〜［００６８］）
【０００４】
【発明が解決しようとする課題】
ところが、この種の撮像装置では、自動合焦条件或いは自動合焦条件を設定するフォーカスモードは、シーン撮影モードの設定とは独立して行なわれており、例えば、オートフォーカスがほとんど行なわれない遠景モードの場合に、フォーカスモードがオートフォーカスに設定されていると、ユーザは、フォーカスモードをマニュアルフォーカスに切り換えて撮影を行なわねばならず、ユーザに操作上の負担が課せられていた。
【０００５】
本発明は、前述したようなこの種の撮像装置の動作の現状に鑑みてなされたものであり、その目的は、選選択設定されたシーン撮影モードに対応して、適応性のあるフォーカスモードの選択設定が、オペレータに操作負担を与えずに行なわれる撮像装置を提供することにある。
【０００６】
【課題を解決するための手段】
前記目的を達成するために、請求項１記載の発明に係る撮像装置は、被写体の撮影に際して、複数のシーン撮影モードから実行するシーン撮影モードを選択し、選択されるシーン撮影モードでの撮影を設定するシーン撮影モード設定手段と、被写体の撮影に際して、自動合焦、手動合焦及び固定距離合焦を含む複数のフォーカス撮影モードから実行するフォーカス撮影モードを選択し、選択されるフォーカス撮影モードでの撮影を設定するフォーカスモード設定手段と、前記シーン撮影モード設定手段で選択設定されたシーン撮影モードに対して、適応性を有するフォーカス撮影モードの選択設定が行なわれるように、前記フォーカスモード設定手段の選択設定動作を制御するフォーカスモード設定制御手段とを有することを特徴とするものである。
【０００７】
このような手段によると、被写体の撮影に際しては、シーン撮影モード設定手段によって、複数のシーン撮影モードから実行するシーン撮影モードが選択され、同時にフォーカスモード設定手段によって、自動合焦、手動合焦及び固定距離合焦を含む複数のフォーカス撮影モードから実行するフォーカス撮影モードが選択でき、選択されたシーン撮影モード及びフォーカス撮影モードでの撮影が設定されると、フォーカスモード設定制御手段によって、シーン撮影モード設定手段で選択設定されたシーン撮影モードに対して、適応性を有するフォーカス撮影モードの選択設定が行なわれるように、フォーカスモード設定手段の選択設定動作が制御され、選択設定されるシーン撮影モードに対して、適応性のない不適確なフォーカス撮影モードが選択設定されることはなく、オペレータに修復操作などの負担を与えずに、常に被写体の高品質の撮像画像の撮影取得が行なわれる。
【０００８】
同様に前記目的を達成するために、請求項２記載の発明は、請求項１記載の発明において、シーン撮影モード設定手段により設定されるシーン撮影モードに対して、フォーカスモード制御手段の制御によって、フォーカスモード設定手段により選択設定されるフォーカス撮影モードの初期値が、前記シーン撮影モードのそれぞれについて、予め設定されていることを特徴とするものである。
【０００９】
このような手段によると、請求項１記載の発明での作用に加えて、シーン撮影モード設定手段により設定されるシーン撮影モードに対して、フォーカスモード制御手段の制御によって、フォーカスモード設定手段により選択設定されるフォーカス撮影モードの初期値が、シーン撮影モードのそれぞれについて予め設定されているので、シーン撮影モードの切換に対応して、フォーカス撮影モードが適確且つ迅速に設定される。
【００１０】
同様に前記目的を達成するために、請求項３記載の発明は、請求項１記載の発明において、フォーカスモード設定手段によって、設定されるフォーカス撮影モードを保持し、或いは初期化するフォーカスモード保持・初期化制御手段と、該フォーカスモード保持・初期化制御手段の動作を選択する保持・初期化選択手段とがさらに設けられていることを特徴とするものである。
【００１１】
このような手段によると、請求項１記載の発明での作用に加えて、保持・初期化選択手段によって、フォーカス撮影モード設定手段により設定されるフォーカス撮影モードの保持或いは初期化が選択されるので、必要時には設定したフォーカス撮影モードを、フォーカスモード保持・初期化制御手段に保持させることにより、改めてフォーカス撮影モード設定する重複操作を省いて、被写体の撮影動作が効率的に実行される。
【００１２】
同様に前記目的を達成するために、請求項４記載の発明は、請求項１記載の発明において、シーン撮影モード設定手段により遠方風景撮影モードが設定されると、フォーカスモード制御手段の制御によって、フォーカスモード設定手段は、フォーカス撮影モードに無限遠合焦モードを選択設定することを特徴とするものである。
【００１３】
このような手段によると、請求項１記載の発明での作用に加えて、シーン撮影モード設定手段により遠方風景撮影モードが設定されると、フォーカスモード制御手段の制御によって、フォーカスモード設定手段が、フォーカス撮影モードに無限遠合焦モードを選択設定するので、無駄なフォーカス撮影モードの選択を避けて、高品質画像の遠方風景の撮影像が迅速適確に取得される。
【００１４】
同様に前記目的を達成するために、請求項５記載の発明は、請求項１記載の発明において、シーン撮影モード設定手段によりスナップ撮影モードが設定されると、フォーカスモード制御手段によって、フォーカスモード設定手段は、無限遠距離に合焦する無限遠距離合焦モード、または複数の固定有限距離から選択された距離に合焦する選択距離合焦モードを選択設定することを特徴とするものである。
【００１５】
このような手段によると、請求項１記載の発明での作用に加えて、シーン撮影モード設定手段によりスナップ撮影モードが設定されると、フォーカスモード制御手段によって、フォーカスモード設定手段が、無限遠距離合焦モード、または、複数の固定有限距離からの選択距離に合焦する選択距離合焦モードを選択設定するので、無駄なフォーカス撮影モードの選択を避けて、スナップ撮影時に被写体の高品質の撮影画像が迅速適確に取得される。
【００１６】
【発明の実施の形態】
以下に本発明の一実施の形態を、図１ないし図６を参照して説明する。
図１は本実施の形態の構成を示すブロック図、図２は本実施の形態の外観構成を示す説明図、図３は本実施の形態で液晶ディスプレイに表示されるシーン撮影モードに対するフォーカスモード設定画像の説明図、図４は本実施の形態で液晶ディスプレイに表示されるスナップ撮影モードに対するフォーカスモード設定画像の説明図、図５は本実施の形態の液晶ディスプレイに表示される遠景撮影モードに対するフォーカスモード設定画像の説明図、図６は本実施の形態の液晶ディスプレイに表示されるフォーカスモード保持設定画像の説明図である。
【００１７】
本実施の形態には、図１に示すように、受光面に結像される被写体光像を光電変換し、撮像信号として出力する電子シャツタ機能を備えたＣＣＤ（Ｃｈａｒｇｅ  Ｃｏｕｐｌｅｄ  Ｄｅｖｉｃｅ；電荷結合素子）５が設けられ、このＣＣＤ５の前段には、ＣＣＤ５の受光面に被写体光像を結像するレンズ部１が配設され、レンズ部１とＣＣＤ５との間には、被写体光像のＣＣＤ５への入射と入射遮断の制御をするシャツタ機構部２が配設され、ＣＣＤ５の出力端子には撮像信号処理ユニット１０が接続されている。
【００１８】
この撮像信号処理ユニット１０においては、ＣＣＤ５の出力端子に接続され、入力される撮像信号の雑音抑制を行なうＣＤＳ（Ｃｏｒｒｅｌａｔｅｄ  ｄｏｕｂｌｅ  ｓａｍｐｌｉｎｇ  ｃｉｒｃｕｉｔ；相関２重サンプリング回路）６が設けられ、ＣＤＳ６の出力端子には、利得補正を行なうＡＧＣ７が接続され、ＡＧＣ７の出力端子には、雑音抑制と利得補正が施された撮像信号に対して、例えばＮＴＳＣ信号のサブキャリア周波数の整数倍でＡＤ変換を行なうＡＤ変換回路８が接続されており、さらに、ＣＣＤ５、ＣＤＳ６、ＡＧＣ７及びＡＤ変換回路８にそれぞれ駆動制御信号を出力する駆動制御回路１１が配設されている。
【００１９】
以上に説明した構成を有する撮像信号処理ユニット１０には、撮像信号処理ユニット１０からの出力信号に対して、信号処理を行なう信号処理ユニット１２が接続され、この信号処理ユニット１２においては、ＡＤ変換回路８の出力端子に接続され、インタフェース動作を行なうＣＣＤインタフェース１３が設けられ、ＣＣＤインタフェース１３の第１の出力端子には、信号処理の総合制御を行なうメモリコントローラ１４が接続され、ＣＣＤインタフェース１３の第２の出力端子からは、前述の駆動制御回路１１に垂直同期信号ＶＤと水平同期信号ＶＨとが入力されるように構成されている。
さらに、信号処理ユニット１２においては、メモリコントローラ１４に、ＲＡＷ−ＲＧＢデータに対してＹＵＶ変換を行なうＹＵＶ変換回路１５、ＪＰＥＧ（Ｊｏｉｎｔ  Ｐｈｏｔｏｇｒａｐｈｉｃ  Ｅｘｐｅｒｔｓ  Ｇｒｏｕｐ）規格のデータ圧縮・伸長を行なう圧縮・伸長処理ブロック１７、及び表示信号のインタフェース動作を行なうディスプレイインタフェース１６が接続されている。
【００２０】
このような構成の信号処理ユニット１２のディスプレイインタフェース１６には、各種のデータの表示を行なう液晶ディスプレイ１８が接続され、メモリコントローラ１４には、ＲＡＷ−ＲＧＢデータ３１、ＹＵＶ変換データ３２、及びＬＰＥＧ圧縮データが格納されるＳＤＲＡＭ３４、装置全体の撮影動作を制御するＣＰＵ２２、制御プログラムが格納されたＲＯＭ２４、制御動作時に各種のデータの書込・読出が行なわれるＳＲＡＭ（Ｓｔａｔｉｃ  ＲＡＭ）２１が接続され、さらに圧縮画像データが記録されるメモリカード２０が着脱自在に接続されている。
【００２１】
一方、オペレータにより各種の撮影指令信号が入力される操作部２３が接続されるＣＰＵ２２には、レンズ部１とシャッタ機構部２とを駆動するモータドライバ３と前述した駆動制御回路１１が接続され、このＣＰＵ２２には、操作部２３から入力される撮影指令信号に基づいて、複数のシーン撮影モードから指令に係るシーン撮影モードの選択設定を行なうシーン撮影モード設定ユニット２７と、複数のフォーカス撮影モードから指令に係るフォーカス撮影モードの選択設定を行なうフォーカス設定ユニット２８とが設けられている。
また、ＣＰＵ２２には、シーン撮影モード設定ユニット２７で設定されるシーン撮影モードに対して、フォーカス設定ユニット２８に適応性を有するフォーカス撮影モードの設定を行なわせる制御を行なうフォーカス制御ユニット２６、シーン撮影モード設定ユニット２７で設定されるシーン撮影モードに対して、適確に対応する画質制御を行なう画質制御ユニット３０が設けられている。
この画質制御ユニット３０では、シーン撮影モード設定ユニット２７によって、人物撮影を行なうポートレートモードが設定されると、やや明るめの画質となるように、ガンマカーブを変更し、肌色が綺麗に見えるように、カラーバランスをやや赤方向にシフトする。
さらにＣＰＵ２２には、操作部２３からの指令信号によって、選択設定されたフォーカス撮影モードを保持するか、或いは初期化するフォーカスモード保持 ・ 初期化制御手段が設けられている。
【００２２】
図２には本実施の形態の外観構成が示され、同図（ａ）は上蓋を開いた状態の平面図、同図（ｂ）は上蓋を開いた状態の正面図、同図（ｃ）は上蓋を開いた状態の側面図である。
カメラ本体４７の上面の一縁辺部にヒンジ３７によって開閉自在に液晶ディスプレイ１８を備えた上蓋３６が取り付けられ、上蓋３６の上面には、撮影枚数、バッテリの交換警報などが表示されるサブディスプレイ４８が配置され、同様に、カメラ本体４７の上面には、上蓋３６の開閉を検知する上蓋開閉検知スイッチ３５が設けられている。さらに、カメラ本体４７の上面には、ＤＡＴＥスイッチ４３、コマ送りスイッチ４４ａ、４４ｂ、ストロボスイッチ４１、画質モードスイッチ４０、記録モード切換スイッチ４２及びレリーズスイッチ３８が設けられており、カメラ本体４７の前面には、レンズ部１、ストロボ２５及びファインダ４６が設けられている。上記各スイッチ類は操作部２３として適宜使用される。
【００２３】
このような構成の本実施の形態の撮影動作を説明する。
撮影動作に際して、オペレータは、操作部２３を操作することにより、図３ないし図６にそれぞれに示すように、液晶ディスプレイ１８に表示される設定メニュー画像１８Ａに基づいて、シーン撮影モードの選択設定を行い、選択設定されたシーン撮影モードに対して、フォーカス撮影モードの選択設定を行なう。
図３には、選択設定されるシーン撮影モードに対して、フォーカス撮影モードが、ＡＦ（Ａｕｔｏ  ｆｏｃｕｓ）モードに設定された場合が示されているが、このフォーカス撮影モードは、この他にＭＦ（Ｍａｎｕａｌ  ｆｏｃｕｓ）モード、２ｍ固定モード、５ｍ固定モード、無限遠固定モード（∞モード）などの選択設定が行なわれる。
例えば、シーン撮影モードにポートレートモードが選択設定される場合、目に合焦することが望ましいので、フォーカス撮影モードとして、ＡＦモードよりもＭＦモードを希望するオペレータは、フォーカス撮影モードとしてＭＦモードを選択設定して撮影を行なう。
【００２４】
また、シーン撮影モードとして、スナップ撮影モードが選択設定されると、ＣＰＵ２２の指令により、フォーカス制御ユニット２６がフォーカス設定ユニット２８を制御して、図４に示すように、フォーカス撮影モードとして、２ｍ固定モード、５ｍ固定モード及び無限遠固定モードの何れかが選択設定可能に制御を行なう。
一般にスナップ撮影では、ＡＦモードでの撮影よりも、予め被写体の位置を予測して撮影を行なう置きピンと呼ばれる撮影距離固定モードでの撮影が便利で、レリーズボタンを押してから撮影が行なわれるまでの時間（レリーズタイムラグ）が短縮される。
【００２５】
一方、シーン撮影モードとして、遠景撮影モードが選択設定されると、ＣＰＵ２２の指令により、フォーカス制御ユニット２６がフォーカス設定ユニット２８を制御して、図５に示すように、フォーカス撮影モードとして無限遠固定モードが自動的に選択設定される。
一般に遠方の風景を撮影する場合には、ＡＦの測距エリアにコントラストの高い被写体が無い場合が多く、ＡＦモードで撮影を行なうとピントが合わないことが多いので、遠景撮影モードの選択設定時に、フォーカス撮影モードとして無限遠固定モードが自動設定されると撮影が効率的に行なわれる。
【００２６】
さらに、本実施の形態では、フォーカス撮影モードは初期値としてシーン撮影モードごとに予め設定されているが、オペレータの操作部２３からの指令信号の入力によって、図６に示すように、選択設定されるシーン撮影モードに対応して、選択設定されるフォーカス撮影モードを保持して次回に利用するか、或いは選択設定されるフォーカスモードが今回限りで初期化されるかの選択が行なわれる。
例えば、シーン撮影モードにポートレートモードが選択設定された場合、フォーカス撮影モードにＭＦモードを選択設定したオペレータが、引き続いてポートレート撮影を行なうためには、選択設定されたＭＦモードを保持すると、撮影が効率的に行なわれる。
【００２７】
本実施の形態でのシーン撮影モードに対するフォーカス撮影モードの設定動作を図７を参照して説明する。
図７は本実施の形態のシーン撮影モードに対するフォーカス撮影モードの設定動作を示すフローチャートである。
【００２８】
図７のフローチャートのステップＳ１において、ＣＰＵ２２の指令によって、ＳＲＡＭ２１から、現在選択設定されているシーン撮影モードが読み出され、ステップＳ２に進んで、選択設定されているシーン撮影モードが遠景撮影モードであるか否かの判定が行なわれる。
ステップＳ２で、遠景撮影モードが選択設定されていると判定されると、ステップＳ８に進んで、ＣＰＵ２２の指令により、フォーカス制御ユニット２６の制御により作動するフォーカス設定ユニット２８によって、フォーカス撮影モードとして無限遠固定モードが選択設定される。
【００２９】
一方、ステップＳ２で、遠景撮影モードがシーン撮影モードに選択設定されていないと判定されると、ステップＳ３に進んで、ＣＰＵ２２の指令によって、ＳＲＡＭ２１から、選択設定されているフォーカス撮影モードが読み出され、ステップＳ４に進んで、選択設定されたフォーカス撮影モードが、前回からのラスト保持設定によるものか、初期設定されているフォーカス撮影モードであるかの判定が行なわれる。
【００３０】
この場合、ステップＳ４で、選択設定されたフォーカス撮影モードが、ラスト保持設定に係るものであると判定されると、ステップＳ５に進んで、ＣＰＵ２２の指令によって、ＳＲＡＭ２１からシーン撮影モードに対応して前回設定されたフォーカス撮影モードが読み出される。一方、ステップＳ４で、選択設定されたフォーカス撮影モードが、初期設定されているものであると判定されると、ステップＳ９に進んで、ＣＰＵ２２の指令によって、ＳＲＡＭ２１からシーン撮影モードに対して初期設定されたフォーカス撮影モードが読み出される。
【００３１】
本実施の形態では、ステップＳ５、ステップＳ８及びステップＳ９の何れかからステップＳ６に進んで、ＣＰＵ２２の指令によって、ＳＲＡＭ２１から読み出されたフォーカス撮影モードに対応するシーン撮影モードが、遠景撮影モード、又はスナップ撮影モードであるか否かの判定が行われる。
ステップＳ６で、シーン撮影モードが遠景撮影モード又はスナップ撮影モードであると判断されると、ステップＳ７に進んで、ＣＰＵ２２の指令によってモータドライバ３が駆動され、２ｍ固定モード、５ｍ固定モード、無限遠固定モードのうち、設定されている距離に対応するフォーカスレンズ位置へ、フォーカスレンズを移動する。
ステップＳ６で、シーン撮影モードが、遠景撮影モード又はスナップ撮影モードでないと判断されると、処理を終了する。
【００３２】
本実施の形態のシーン撮影モードに対するフォーカス撮影モードの保持設定動作を図８を参照して説明する。
図８は本実施の形態のシーン撮影モードに対するフォーカス撮影モードの保持設定動作を示すフローチャートである。
【００３３】
図８のフローチャートのステップＳ２１において、ＣＰＵ２２によって、フォーカス撮影モードの設定が変更されているか否かの判定が行なわれ、フォーカス撮影モードの設定が変更されていないと処理を終了する。
一方、ステップＳ２１で、フォーカス撮影モードの設定が変更されていると判定されると、ステップＳ２２に進んで、ＣＰＵ２２の指令によって、フォーカス撮影モードに対して、ラスト保持設定がされているか否かの判定が行なわれる。
ステップＳ２２において、フォーカス撮影モードに対してラスト保持設定がされていないと判定されると処理を終了し、ステップＳ２２において、フォーカス撮影モードに対してラスト保持設定がされていると判定されると、ステップＳ２３に進んで、ＣＰＵ２２の指令によって、選択設定されたフォーカス撮影モードに対するラスト保持設定が行なわれ、ラスト保持設定の更新が行なわれる。
【００３４】
以上に説明したようにして、本実施の形態では、選択設定されるシーン撮影モードに対して、フォーカス撮影モードの選択設定が、選択設定されるシーン撮影モードとの適合性を維持して行なわれると、その後、選択設定されたシーン撮影モードとフォーカス撮影モードとの条件下で被写体の撮影が行なわれる。
この場合、被写体光像はレンズ部１によって、ＣＣＤ５の受光面に結像され、ＣＣＤ５にマトリクス状に配列されているフォトダイオードに入射され、ＣＰＵ２２の指令によって作動する駆動制御回路１１からの駆動制御信号による電子シャッタ動作によって、蓄積時間が制御された状態で蓄積される。このＣＣＤ５への入射光像は、ＣＣＤ５によってアナログ撮像信号に光電変換され、ＣＣＤ５から出力されて撮像信号処理ユニット１０に入力される。
【００３５】
撮像信号処理ユニット１０に入力された撮像信号は、ＣＤＳ６によって相関２重サンプリングによる低雑音化処理が施され、ＡＧＣ７で利得補正が行なわれ、ＡＤ変換回路８で、例えば、ＮＴＳＣ信号のサブキャリア周波数の整数倍のサンプリング周波数でＡＤ変換され、ディジタル撮像信号として信号処理ユニット１２に入力される。
信号処理ユニット１２では、ＣＣＤインタフェース１３に入力されるディジタル撮像信号は、メモリコントローラ１４によって、ＣＣＤ配列のままのＲＡＷ−ＲＧＢデータ３１としてＳＤＲＡＭ３４に格納される。
【００３６】
そして、信号処理ユニット１２においては、ＣＰＵ２２の指令で作動するメモリコントローラ１４によって、ＳＤＲＡＭ３４からＲＡＷ−ＲＧＢデータ３１が読み出され、ＹＵＶ変換回路１５によって、ガンマ補正及び色分離処理に基づき、ＹＵＶ変換によって色差信号と輝度信号が作成され、得られる色差信号と輝度信号に基づいて、ディジタルＮＴＳＣ信号が取得される。このディジタルＮＴＳＣ信号が、ディスプレイインタフェース１６を介して、ＤＡ変換されて液晶ディスプレイ１８に被写体画像として表示される。
【００３７】
一方、被写体の撮像画像データをメモリカード２０に記録格納する場合には、メモリコントローラ１４によって、ＳＤＲＡＭ２１から読み出されるＲＡＷ−ＲＧＢデータ３１に対して、ＹＵＶ変換回路１５によって、ガンマ補正及び色分離処理に基づき、色差信号と輝度信号が作成され、作成された色差信号と輝度信号が、ＳＤＲＡＭ３４にＹＵＶ変換データ３２として格納される。
次いで、メモリコントローラ１４によって、ＳＤＲＡＭ３４から読み出されるＹＵＶ変換データ３２に対して、ＣＰＵ２２の指令で作動する圧縮・伸長処理ブロック１７によって、直交変換やハフマン符号化により、ＪＰＥＧ方式での圧縮処理が施され、メモリコントローラ１４によって、ＳＤＲＡＭ３４にＪＰＥＧ圧縮データ３３として格納される。
そして、このようにして、ＳＤＲＡＭ３４に格納されたＪＰＥＧ圧縮データ３３が、ＣＰＵ２２の指令により作動するメモリコントローラ１４によって、ＳＤＲＡＭ３４から読み出されてメモリカード２０に記録格納される。
【００３８】
また、メモリカード２０に記録格納された圧縮データを、メモリカード２０から読み出す場合には、メモリコントローラ１４によって、読み出される圧縮データは、一旦ＳＤＲＡＭ３４に格納された後に読み出され、ＣＰＵ２２の指令によって作動する圧縮・伸長ブロック１７により、リアルタイムに伸長され、メモリコントローラ１４によって、ディスプレイインタフェース１６に入力され、ＤＡ変換されて液晶ディスプレイ１８に表示される。
【００３９】
以上に説明したように、本実施の形態によると、オペレータが操作部２３から、シーン撮影モード及びフォーカス撮影モードの選択設定をそれぞれ独立して行い、選択設定されたシーン撮影モードとフォーカス撮影モードとの相互間に、現在の撮影雰囲気条件下での適合性があるとＣＰＵ２２によって判定されると、ＣＰＵ２２の指令によって作動するフォーカス制御ユニット２６及び画質制御ユニット３０によって、選択設定されたシーン撮影モードに対応して、適確なフォーカス撮影モード及び画質撮影モードが選択設定され、選択設定された各撮像モードによる撮影条件下で、オペレータの操作上の負担を軽減した状態で、被写体の高品質の撮影画像を効率的に撮像取得することが可能になる。
【００４０】
【発明の効果】
請求項１記載の発明による被写体の撮影に際しては、シーン撮影モード設定手段によって、複数のシーン撮影モードから実行するシーン撮影モードが選択され、同時にフォーカスモード設定手段によって、自動合焦、手動合焦及び固定距離合焦を含む複数のフォーカス撮影モードから実行するフォーカス撮影モードが選択されることにより、選択されたシーン撮影モード及びフォーカス撮影モードでの撮影が設定されると、フォーカスモード設定制御手段によって、シーン撮影モード設定手段で選択設定されたシーン撮影モードに対して、適応性を有するフォーカス撮影モードの選択設定が行なわれるように、フォーカスモード設定手段の選択設定動作が制御されるので、選択設定されるシーン撮影モードに対して、適応性のない不適確なフォーカス撮影モードが選択設定されることはなく、オペレータに修復操作などの負担を与えずに、常に被写体の高品質の撮像画像を撮影取得することが可能になる。
【００４１】
請求項２記載の発明によると、請求項１記載の発明で得られる効果に加えて、シーン撮影モード設定手段により設定されるシーン撮影モードに対して、フォーカスモード制御手段の制御によって、フォーカスモード設定手段により選択設定されるフォーカス撮影モードの初期値が、シーン撮影モードのそれぞれについて予め設定されているので、シーン撮影モードの切換に対応して、フォーカス撮影モードを適確且つ迅速に設定することが可能になる。
【００４２】
請求項３記載の発明によると、請求項１記載の発明で得られる効果に加えて、保持・初期化選択手段によって、フォーカス撮影モード設定手段により設定されるフォーカス撮影モードの保持或いは初期化が選択されるので、必要時には設定したフォーカス撮影モードを、フォーカスモード保持・初期化制御手段に保持させることにより、改めてフォーカス撮影モード設定する重複操作を省いて、被写体の撮影動作を効率的に実行することが可能になる。
【００４３】
請求項４記載の発明によると、請求項１記載の発明で得られる効果に加えて、シーン撮影モード設定手段により遠方風景撮影モードが設定されると、フォーカスモード制御手段の制御によって、フォーカスモード設定手段が、フォーカス撮影モードに無限遠合焦モードを選択設定するので、無駄なフォーカス撮影モードの選択を避けて、高品質画像の遠方風景の撮影像を迅速適確に取得することが可能になる。
【００４４】
請求項５記載の発明によると、請求項１記載の発明で得られる効果に加えて、シーン撮影モード設定手段によりスナップ撮影モードが設定されると、フォーカスモード制御手段によって、フォーカスモード設定手段が、無限遠距離合焦モード、または、複数の固定有限距離からの選択距離に合焦する選択距離合焦モードを選択設定するので、無駄なフォーカス撮影モードの選択を避けて、スナップ撮影時に被写体の高品質の撮影画像を迅速適確に取得することが可能になる。
【図面の簡単な説明】
【図１】本発明の一実施の形態の構成を示すブロック図である。
【図２】同実施の形態の外観構成を示す説明図である。
【図３】同実施の形態で液晶ディスプレイに表示されるシーン撮影モードに対するフォーカスモード設定画像の説明図である。
【図４】同実施の形態で液晶ディスプレイに表示されるスナップ撮影モードに対するフォーカスモード設定画像の説明図である。
【図５】同実施の形態の液晶ディスプレイに表示される遠景撮影モードに対するフォーカスモード設定画像の説明図である。
【図６】同実施の形態の液晶ディスプレイに表示されるフォーカスモード保持設定画像の説明図である。
【図７】同実施の形態のシーン撮影モードに対するフォーカス撮影モードの設定動作を示すフローチャートである。
【図８】同実施の形態のシーン撮影モードに対するフォーカス撮影モードの保持設定動作を示すフローチャートである。
【符号の説明】
１  レンズ部
６  ＣＣＤ
１１  駆動制御回路
１０  撮影信号処理ユニット
１２  信号処理ユニット
１４  メモリコントローラ
１８  液晶ディスプレイ
２１  ＳＲＡＭ
２２  ＣＰＵ
２６  フォーカス制御ユニット
２７  シーン撮影モード設定ユニット
２８  フォーカス設定ユニット
３０  画質制御ユニット
３４  ＳＤＲＡＭ
【図１】
2004184432.tif 000003
【図２】
2004184432.tif 000004
【図３】
2004184432.tif 000005
【図４】
2004184432.tif 000006
【図５】
2004184432.tif 000007
【図６】
2004184432.tif 000008
【図７】
2004184432.tif 000009
【図８】
2004184432.tif 000010